(57)【特許請求の範囲】
【請求項１】
ＲＣ版の挿入部を幅方向に連続して形成するように傾斜させて立設され、かつフランジ部に雌ねじを刻設してなる複数のＨ形鋼を有する鋼構造体を形成する第１工程と、
前記第１工程により形成された鋼構造体のＲＣ版の挿入部に、予め鋼構造物に当接する部位に水膨張性シール材を貼付してなるＲＣ版を挿入して鋼構造物−ＲＣ版の複合体を形成する第２工程と、
前記第２工程で形成された鋼構造物−ＲＣ版の複合体の前面に型枠を設置し、該型枠を前記フランジ部に締結用ボルトを介して連結し、該型枠とＲＣ版及びＨ形鋼によって囲まれるグラウト充填空間を形成する第３工程と、
前記第３工程で形成されたグラウト充填空間内にグラウトを充填し、固化する第４工程と、
前記グラウトの固化後、前記型枠を除去する第５工程と、からなるＲＣ版の鋼製構造物への取り付け方法。
【請求項２】
弾性変形可能な型枠を構造物−ＲＣ版の複合体のＨ形鋼を挟んで相隣接するＲＣ版の前面を前記Ｈ形鋼を含んで覆った後、該型枠に設けたボルト穴からボルトを挿通してＨ形鋼のフランジ部に設けた雌ねじに螺合し、さらにＲＣ版を押圧するようにボルト締めして該型枠とＨ形鋼及びＲＣ版を一体に固定する工程からなる第３工程を有する請求項１記載のＲＣ版の鋼製構造物への取り付け方法。
【発明の詳細な説明】
【０００１】
【発明の属する技術分野】
本発明は鉄筋コンクリート版を鋼構造物に取り付ける方法に係り、特にＲＣ版（プレキャスト鉄筋コンクリート版）を鋼製構造物に取り付けて護岸・防波堤などの壁体を構築する方法に関する。
【０００２】
【従来の技術】
護岸・防波堤などの壁体を構築するには、従来、図５に示すようにＲＣ版５を支持できるようにＨ形鋼１を溝部を対向させて垂直に建て込んで鋼構造体を構築し、溝部の間にＲＣ版５を挿入するのが一般的であった。その際、鋼構造体（Ｈ形鋼）とＲＣ版との固定のためにＲＣ版と鋼構造物との間隙にセメントモルタルを充填するか、或いはＨ形鋼溝部とＲＣ版をボルト止めするなどの手段を講じていた。
【０００３】
【発明が解決しようとする課題】
しかし、上記方法によるのでは、モルタルの充填のためには特別の型枠を必要とし、またボルト止めのために相当の工数を必要とするなど、構築のため煩雑な作業を要していた。更に、上記方法によるときは、ＲＣ版を挾持する鋼材は外部環境に対して露出しており、特に海洋土木分野の防波堤などに壁体を構築した場合には鋼材に対して厳重な防食対策を必要としていた。
本発明は、このような従来技術の有する問題点を解決しようとするものであって、まず第１にＲＣ版を鋼構造物に取り付ける際、特に煩雑な作業を必要とすることなく、極めて容易、かつ確実にＲＣ版を固定できる方法を提供することを目的とするものである。第２には、海洋土木分野の防波堤などの壁体を構築した段階で既にコンクリートによって防食がなされており、特別な防食対策を必要としない壁体の構築方法を提供することを目的とするものである。
【０００４】
【課題を解決するための手段】
本発明は上記課題の解決のために、ＲＣ版の鋼構造物への取り付け方法を、ＲＣ版の挿入部を幅方向に連続して形成するように傾斜させて立設され、かつフランジ部に雌ねじを刻設してなる複数のＨ形鋼を有する鋼構造体を形成する第１工程と、前記第１工程により立設された鋼構造体のＲＣ版の挿入部に、予め鋼構造物に当接する部位に水膨張性シール材を貼付してなるＲＣ版を挿入して鋼構造物−ＲＣ版の複合体を形成する第２工程と、前記第２段階で形成された鋼構造物−ＲＣ版の複合体の前面に型枠を設置し、該型枠を前記フランジ部に締結用ボルトを介して連結し、該型枠とＲＣ版及び鋼材によって形成されるグラウト充填空間を形成する第３工程と、前記第３工程で形成されたグラウト充填空間内にグラウトを充填し、固化する第４工程と、前記グラウトの固化後、前記型枠を除去する第５工程と、からなるものとするものである。
【０００５】
また、本発明は、前記第３工程における型枠の設置を、弾性変形可能な型枠を用いて構造物−ＲＣ版の複合体のＨ形鋼を挟んで相隣接するＲＣ版の前面を前記Ｈ形鋼を含んで覆った後、該型枠に設けたボルト穴からボルトを挿通してＨ形鋼のフランジ部に設けた雌ねじ部に螺合し、さらにＲＣ版を押圧するようにボルト締めして該型枠とＨ形鋼及びＲＣ版を一体に固定するようにするものである。
【０００６】
【発明の実施の形態】
以下、本発明をその１実施例に基づき図面を参照して詳細に説明する。図１に示すようにＨ形鋼１を支柱２と補強部材３とからなる控え４を支えとして鉛直に対して一定の傾きをもって立設する。Ｈ形鋼１にはそのフランジ部にあらかじめ後に示す締結ボルト１０と螺合する雌ねじ７が刻設されている。Ｈ形鋼１の間隔はＲＣ版５のスパンに相当する距離だけおく。Ｈ形鋼１のフランジとウェブによって形成される溝は、相互に対抗して向き合い、ＲＣ版５の挿入部６を形成する。Ｈ形鋼１の傾きは次工程におけるＲＣ版５の挿入が困難にならないように、またＲＣ版５の挿入後、ＲＣ版５がＨ形鋼１のフランジ部に寄りかかり安定してＨ形鋼１フランジ部に保持される程度でよい。一般には５°〜３０°でよい。なお、控え４は、Ｈ形鋼１所定位置に所定の傾きをもって立設するために一般に必要であるが、その構造は特に限定されない。このようにして鋼構造体の構築が行われるが、その構築は陸上で行ってもよくまた、海中に控え４を設置した後、これをガイドとしてＨ形鋼１を打設する方法を採ってもよい。
【０００７】
ついで上記により形成された鋼構造体にＲＣ版５を挿入する第２工程が行われる。すなわち図１、図２（ｂ）に示すように傾斜して立接されたＨ形鋼１のフランジ部（溝状部分）をガイドとしてＲＣ版５を挿入部６にスライドさせて挿入するのである。その際、ＲＣ版５には、予め図２（ａ）に示すように、Ｈ形鋼１のフランジ部分に当接する箇所の一部を適当に溝状に切り欠いて水膨張性シール材８を貼付しておく。これによって後のグラウト充填の際、あるいは海中に設置された際、水膨張性シール材８が膨張してＲＣ版５とＨ形鋼１の隙間を確実に埋め、ＲＣ版の固定とＨ形鋼の防食を完全にするのである。水膨張性シール材の種類、サイズは上記目的を達するものであればよい。
【０００８】
上記によって形成された鋼構造体−ＲＣ版の複合体を一体に固定し、防食作用を保有させるためにその前面に型枠９を設置し、型枠９と前記複合体Ｂで形成される空間１１にグラウトが充填される。型枠９の設置は、型枠にボルト穴１３を設け、このボルト穴１３から締結用ボルト１０をＨ形鋼１のフランジ部分に設けた雌ねじ７に螺合し、型枠９と固定することによって行われる。この場合、型枠９の形状、型枠９を前記複合体前面に設置する方法に特に制限はないが、以下のように行うのがよい。
【０００９】
まず、型枠９として弾性変形可能なものを用いる。これは後述するようにＲＣ版５をＨ形鋼フランジ内面に確実に押しつけ、かつグラウトの固化後に型枠９をグラウトから取り外すのを容易にするためである。型枠９の形状はＨ形鋼１を挟んで相隣接するＲＣ版５に亘り、かつこれらの前面を覆うようになっていればよい。前述したようにＲＣ版５にはボルト穴１３が開けられており、締結用ボルト１０が挿通されるようになっている。また、型枠５のＲＣ版５への当接部にはシールゴム１４などの弾性部材を配しておくのがよい。
【００１０】
上記型枠５のボルト穴１３から締結用ボルト１９を挿通してＨ形鋼１のフランジに設けた雌ねじ７に螺合し、型枠９と鋼構造体−ＲＣ版の複合体の連結を行なう。本発明においてはさらにボルト締めを続行し、ボルト１０の先端をＲＣ版５にまで達せしめる。これにより、ＲＣ版５はボルト１０により押圧されて図３に示すようにＨ形鋼のフランジ面内面に強く押しつけられる。しかし、型枠９の有するばねの作用によりその圧力は適当な範囲に収められ、ＲＣ版５を破壊に至らせることはない。
【００１１】
上記第３工程によって、鋼構造体−ＲＣ版の複合体と型枠９が一体に固定され、同時に型枠９とＲＣ版５及びＨ形鋼によって囲まれるグラウト充填空間１１が形成される。このグラウト充填空間１１に適当なグラウト材を充填・固化し、これによってＨ形鋼１、ＲＣ版５からなる複合体全体が強固に一体化され、またＨ形鋼の前面がグラウト材で覆われ、海水等外部環境と遮断され、防食機能を持つことになる。
【００１２】
グラウト材が十分固化すれば、型枠９が取り外され、図４に示すように壁体が完成する。本発明の場合には締結用ボルト１０を外せば、型枠９の有する弾性ばねの作用により容易にその取り外しを行うことができる。締結ボルト１０を撤去した後に生ずるボルト穴は必要に応じモルタルなどで埋めればよい。
【００１３】
以上、本発明にかかるＲＣ版の鋼構造体への取り付け方法について説明したが、実施に当たっては、その全工程を陸上で行い、完成した組立体を海中の所定箇所に設置する方法によればよい。しかし、第１工程ないし第３工程のいずれかの工程後、中間組立体を海中所定の場所に設置し、その後の第４、第５工程を海中で行うようにしてもよい。
【００１４】
【発明の効果】
本発明により、鋼構造体とＲＣ版の固定が容易かつ確実に行われるようになり、いわゆるＲＣ版のガタツキが完全に解消された。さらに、鋼構造体においてＲＣ版を支持するＨ形鋼部分がグラウト材によって完全に覆われ、手間のかかる防食工事を改めて行う必要がなくなった。特に、ＲＣ版のガタツキがなくなったことは、比較的脆いＲＣ版を安全確実に鋼構造体に挿入できることになり、また、グラウトも固化時に動揺が生じないので強度の高く欠陥のないグラウチング層を得ることができる。
【図面の簡単な説明】
【図１】本発明に使用する鋼構造体の全体斜視図である。
【図２】本発明に使用するＨ形鋼とＲＣ版の関係を示す部分断面図である。（ａ）は横断面図であり、（ｂ）は縦断面図である。
【図３】本発明における鋼構造体−ＲＣ版への型枠の設置状態を示す断面図である。
【図４】本発明により構築された壁体の部分横断断面図である。
【図５】従来法によるＨ形鋼へのＲＣ版の取り付け状況を示す斜視図である。
【符号の説明】
１  Ｈ形鋼
２  支柱
３  補強材
４  控え
５  ＲＣ版
６  ＲＣ版挿入部
７  雌ねじ
８  水膨張性シール材
９  型枠
１０  ボルト
１１  グラウト充填空間
１２  グラウト
１３  ボルト穴
１４シールゴム
【図１】
0003812041.tif 000002
【図２】
0003812041.tif 000003
【図３】
0003812041.tif 000004
【図４】
0003812041.tif 000005
【図５】
0003812041.tif 000006